(57)【要約】      （修正有）【課題】デスクの配線ダクトの配置によって、デスクを使用する執務者の使い勝手が向上するデスクを提供する。【解決手段】デスク１００の天板３が全体として短辺と長辺を有する形態を成し、単位執務スペースを複数備え、複数人で同時に使用できるデスク１００であって、執務スペースの天板３の端部が使用端として設定され、さらに、天板３に配線ダクト４が配置され、該配線ダクト４の前記使用端側の端部を、天板３の一使用端側から該一使用端側に対向する他方端との間に形成される第１中心線と、該第１中心線と前記一使用端側との間に形成される第２中心線に配置、あるいは、第２中心線よりもデスク天板の前記一使用端側に配置する。【選択図】図２
2020116144.tif 000002
【特許請求の範囲】
【請求項１】
デスク天板部が全体として短辺と長辺を有する形態を成すデスクにおいて、該デスクは、単位執務スペースを複数備え、複数人で同時に使用できるものであって、執務スペースの執務者側の天板の端部が使用端として設定され、さらに、デスク天板部に配線ダクトが配置され、少なくとも一つの配線ダクトの前記使用端側の端部が、デスク天板部の該使用端側から該使用端側に対向する他方端との間に形成される第１中心線と、該第１中心線と該使用端側との間に形成される第２中心線上に配置され、あるいは、第２中心線よりもデスク天板の該使用端側に配置されることを特徴とする配線ダクトを備えるデスク。
【請求項２】
配線ダクトは、単位執務スペースの左右方向の端側に配置されていることを特徴とする請求項１に記載の配線ダクトを備えるデスク。
【請求項３】
デスクの長辺方向の間の位置に配線ダクトが配置され、デスクの長辺方向で配線ダクトを挟んでそれぞれに執務スペースを形成することを特徴とする請求項１あるいは請求項２に記載の配線ダクトを備えるデスク。
【請求項４】
配線ダクト下方部にデスク脚体が配置され、デスク脚体は、天板を天板の短辺方向で支持する天板支持部を有し、天板支持部に配線ダクトと連通する配線収容部を装備したことを特徴とする請求項１あるいは請求項２あるいは請求項３に記載の配線ダクトを備えるデスク。
【発明の詳細な説明】
【技術分野】
【０００１】
本発明は、配線ダクトと配線収容部を備えたデスクに関するものである。
【背景技術】
【０００２】
従来、多人数で使用することを前提としたデスクで、デスクで使用する電器機器用の配線を行うために、天板部に開口部である配線ダクトを設け、該ダクトを閉塞する開閉自在のカバーを設置したものがある（例えば特許文献１）。
しかしながら、これらのデスクの配線ダクトは、デスクを使用する執務者側から見て奥側に設けられることが多い。
そのため、配線ダクトを使用するには、執務者が身を大きく乗り出す必要があった。
また、デスクの執務スペースは通常、巾方向に広く、奥ゆき方向に狭いため、巾方向に比べ奥ゆき方向に余裕がなく、デスクの奥ゆき方向を広く使用するため、配線ダクトのカバー上も物品載置スペースとして利用されていることが多い。
この場合、配線ダクトを使用するたびにカバー上の物品を移動させる必要があり、配線ダクトの使い勝手が悪かった。
【先行技術文献】
【特許文献】
【０００３】
【特許文献１】特許第５０１４６９３号公報
【発明の概要】
【発明が解決しようとする課題】
【０００４】
本発明は、デスクの配線ダクトの配置によって、デスクを使用する執務者の使い勝手が向上するデスクを提供することを課題とする。
【課題を解決するための手段】
【０００５】
上記課題を解決する為、本発明が第１の手段として構成したところは、デスク天板部が全体として短辺と長辺を有する形態を成すデスクにおいて、該デスクは、単位執務スペースを複数備え、複数人で同時に使用できるものであって、執務スペースの執務者側の天板の端部が使用端として設定され、さらに、デスク天板部に配線ダクトが配置され、少なくとも一つの配線ダクトの前記使用端側の端部が、デスク天板部の該使用端側から該使用端側に対向する他方端との間に形成される第１中心線と、該第１中心線と該使用端側との間に形成される第２中心線上に配置され、あるいは、第２中心線よりもデスク天板の該使用端側に配置されるものである。
【０００６】
次に本発明が第２の手段として構成したところは、第１の手段に加え、配線ダクトは、単位執務スペースの左右方向の端側に配置されているものである。
【０００７】
次に本発明が第３の手段として構成したところは、第１の手段、あるいは、第２の手段に加え、デスクの長辺方向の間の位置に配線ダクトが配置され、デスクの長辺方向で配線ダクトを挟んでそれぞれに執務スペースを形成するものである。
【０００８】
次に本発明が第４の手段として構成したところは、第１の手段、あるいは、第２の手段、あるいは、第３の手段に加え、配線ダクト下方部にデスク脚体が配置され、デスク脚体は、天板を天板の短辺方向で支持する天板支持部を有し、天板支持部に配線ダクトと連通する配線収容部を装備したものである。
【発明の効果】
【０００９】
本発明の第１の手段として構成したところによると、配線ダクトが、デスク天板部の一使用端側から該一使用端側に対向する他方端との間に形成される第１中心線と、該第１中心線と前記一使用端側との間に形成される第２中心線よりもデスク天板の前記一使用端側に配置されるから、配線ダクトが、デスクの天板の使用端側に位置する執務者から見て手前側になるため、配線ダクトが執務者から近く、配線ダクトを使用するときに大きく身を乗り出す必要がない。
【００１０】
本発明の第２の手段として構成したところによると、第１の手段として構成したところに加え、デスクの短辺（奥行き）方向に配線ダクトを設置する必要がなくなるため、デスク天板の巾方向に比べ広さが不足しているデスク天板の短辺（奥行き）方向を広く使用することができる。
【００１１】
本発明の第３の手段として構成したところによると、第１の手段として構成したところ、あるいは、第２の手段として構成したところに加え、配線ダクトが目印となるので、一人当たりの執務スペースが確認しやすく、執務者の執務スペースの視認が容易となる。
【００１２】
本発明の第４の手段として構成したところによると、第１の手段として構成したところ、あるいは、第２の手段として構成したところ、あるいは、第３の手段として構成したところに加え、配線ダクトと連通する配線収容部がデスク脚体の天板支持部に装備されているので、配線ダクトから配線が垂れ下がるといったことがないばかりか、デスク脚体を配線収容部としているので、執務スペースに影響がなく執務時の邪魔にならない。
【図面の簡単な説明】
【００１３】
【図１】本発明品であるデスクで一部のカバー体を開放した状態の斜視図。
【図２】同じくデスクの平面図。
【図３】同じくデスクの側面図。
【図４】同じく側面方向からの断面図。
【図５】同じくデスクの正面方向からの断面図。
【図６】片側のカバー体を開放した状態の配線ダクト部分の要部拡大断面図。
【図７】中間脚の斜視図。
【図８】中間脚の正面方向からの断面図。
【図９】配線収容部を備える脚体の斜視図。
【図１０】配線ダクトのその他の実施例を示すデスクの平面図。
【図１１】左右中間部に配線ダクトを備えた実施例を示す片面型デスクの平面図。
【図１２】側部に配線ダクトを備えた実施例を示す片面型デスクの平面図。
【図１３】配線ダクトのその他の実施例を示す仕切りパネルを設置したデスクの斜視図。
【発明を実施するための形態】
【００１４】
デスク天板部が全体として短辺と長辺を有する形態を成し、単位執務スペースを複数備え、複数人で同時に使用できるデスクにおいて、執務スペースの執務者側の天板の端部を使用端として設定し、さらに、デスク天板部の単位執務スペースの左右方向の端側に配線ダクトを配置し、配線ダクトを挟んでデスクの長辺方向のそれぞれに執務スペースを形成し、配線ダクトの前記使用端側の端部を、デスク天板部の該使用端側から該使用端側に対向する他方端との間に形成される第１中心線と、該第１中心線と前記使用端側との間に形成される第２中心線よりもデスク天板の前記使用端側に配置し、配線ダクト下方部に、天板を天板の短辺方向で支持する天板支持部を有し天板支持部に配線ダクトと連通する配線収容部を装備したデスク脚体を配置する。
【実施例】
【００１５】
以下、実施例を添付図面に基づいて詳述する。
尚、便宜的に図２、図５における左右方向を左右方向、図２の上下方向を前後方向、図３の方向を側面、図５の方向を正面と云う。
図１および図２において、符号１００はベンチ型のデスクを示し、デスク１００は、主に左右に所定間隔を有して配設された左右の脚体１０、１０と、脚体１０、１０間に配置される中間脚体２と、脚体１０と中間脚体２を上部で連結するビーム補強７、７と、脚体１０、１０、中間脚体２上面に連結される左右の天板３、３と、天板３、３間に配設される前後の配線ダクト４、４より構成されている。
【００１６】
脚体１０は、主に、前後方向に延伸する主天板支持杆１０１と、主天板支持杆から床面までの長さで、側面視でハの字状となるように前後一対に配置される支持体１０２、１０２と、主天板支持杆１０１の下方で離間して配置され支持体１０２、１０２を連結する補助天板支持杆１０３で構成され、主天板支持杆１０１の上面に天板３が載置され、主天板支持杆１０１に設けられた天板受け１０１ａ部で天板３の下面とネジ等にて連結し、天板３を支持するものである。
【００１７】
左右の天板３、３は同形に構成されているので一方側についてのみ説明する。
天板３は、木製あるいは、薄板鋼板を折り曲げ、溶接するなどして平面視、四角形で板状に形成されたもので、下面に脚体１０や中間脚体２にネジにて連結固定されるためのナットが埋め込まれ、上面には化粧材が貼り付けられ、四角形の四辺端面にはエッジ材が取り付けられ化粧が施されている。
【００１８】
中間脚体２は、図７に示すように前後方向に延伸する天板中間支持杆２１と、天板中間支持杆２１の前後の中央部から垂下し床面まで伸びる中間支柱体２２からなるものである。
天板中間支持杆２１は、前後方向の中間部で対称に形成されており、支持杆本体２１１と補強杆２１２と、部材取り付け座２１３で構成されている。
支持杆本体２１１は、鋼板を曲げることによって形成され、断面視で上向きコ字状に形成された下部補強部２１１ａと、下部補強部２１１ａの上端で左右方向それぞれに延伸し、該延伸端で上方に延伸し、上側が開口となる配線収容部６を形成する上部補強部２１１ｂと、上部補強部２１１ｂの上端で左右方向それぞれに延伸する天板受け片２１１ｃを形成し、支持杆本体２１１の前後端面を閉塞する塞ぎ片２０１ｄが溶接固定されることにより構成される。
また、支持杆本体２１１の前後方向中央部の左右の側面には開口孔２１１ｅ、２１１ｅが設けられており、後述する中間支柱体２２の内部空間と連通している。
【００１９】
補強杆２１２は、角型鋼管であって、支持杆本体２１１より短い長さのもので、支持杆本体２１１の下部補強部２１１ａのコ字状の空間に上部から挿入され上部で支持杆本体２１１と溶接にて固定され、天板中間支持杆の剛性確保の補助材とされている。
部材取り付け座２１３は、同じく鋼板製で下向きコ字状の小型片であって、部材取り付け用の固定ナット２１３ａが下面に溶接にて固定され、支持杆本体２１１の前後端近傍と中央部の上部補強部に上部から挿入され溶接にて固定される。
【００２０】
中間支柱体２２は、左右一対の中間支柱本体２２１、２２１と、中間支柱本体２２１、２２１を左右で間隔を設けて上下の２箇所で連結する本体上部連結材２２２、本体下部連結材２２３と、中間支柱体２２の下面で中間脚体２を床面で支持する上下調整可能なアジャスター２２４・・・と、中間支柱本体２２１、２２１の間隔を空けた前後各部分を閉塞する着脱自在なカバー体２２６、２２６で構成される。
【００２１】
中間支柱本体２２１は、鋼板を曲げることによって形成されるもので、側面で上下方向に長尺な長方形の側面板２２１ａを基材として、側面板２２１ａの前後端それぞれで左右方向に折り曲げられ正面片２２１ｂ、２２１ｂとされ、正面片２２１ｂ、２２１ｂの先端は前後方向側に対向するように内側に折り曲げられ中間支柱本体２２１の剛性確保の補強片とされる。該補強片の上下の所定の位置に螺孔が設けられ、係合ピン２２５、２２５、２２５、２２５が螺合される。また、側面板２２１ａの上部内側には、ビーム補強７を取り付けるための連結用ナット２１４、２１４が溶接固定され、また、後述する本体上部連結材２２２のナット２２２ｄ、２２２ｄに対応して貫通孔が設けられる。そして、側面板２２１ａの上下端の正面片２２１ｂ、２２１ｂと同じ方向に折り曲げられ、同じく中間支柱本体２２１の剛性確保の補強片とされる。
【００２２】
本体上部連結材２２２は、鋼板製であって、平面視で左右方向に長尺な長方形の連結板２２１ａを基材として、連結板２２２ａの左右端それぞれで下方向に折り曲げられ溶接片２２２ｂ、２２２ｂが形成される。該溶接片２２２ｂ、２２２ｂの内面側には、ビーム補強７を固定するための連結用ナット２２２ｄ・・・が溶接されている。連結板２２１ａには左右側部近傍に貫通丸孔の配線孔２２２ｃ、２２２ｃが設けられている。
【００２３】
本体下部連結材２２３は、鋼板製であって、平面視で左右方向に長尺な長方形の連結板２２３ａを基材として、左右端部が上向きに折り曲げられ溶接片２２３ｂ、２２３ｂが形成され、前後端部が同じく上方に折り曲げられ剛性確保の補強片が形成される。
そして、連結板２２３ａには中央部に貫通丸孔の配線孔２２３ｃが設けられ、左右方向には、アジャスター２２４を取り付けるための溶接ナットが取り付けられている。
【００２４】
そして、本体上部連結材２２２、本体下部連結材２２３を、中間支柱本体２２１の側面板２２１ａの内面側の所定の位置に、それぞれの溶接片２２２ｂ、２２３ｂの外側垂直面を当接させ、溶接にて固定する。つぎに、対向側の溶接片２２２ｂ、２２３ｂの外側垂直面に、もう一体の中間支柱本体２２１の側面板２２１ａの内面側を当接させ、同じく溶接にて固定する。
このように本体上部連結材２２２、本体下部連結材２２３を固定すると、中間支柱本体２２１、２２１は水平断面視でコ字状の開口側が対向し、かつ、互いに正面片２２１ｂ間に所定の間隔を空けて配置されることとなる。
そして、このように組み立てられた中間支柱本体２２１、２２１の上面を、天板中間支持杆２１の前後方向の中央の下面に当接させ、所定の位置で溶接にて固定する。
さらに、本体下部連結材２２３の下面よりアジャスター２２４を取り付けるための溶接ナットを利用して、アジャスター２２４の螺軸を使用してアジャスター２２４・・・を螺合する。
【００２５】
カバー体２２６は、上下方向に延在し、前記中間支柱本体２２１、２２１の所定の間隔の間に入る巾とされ、水平断面視で前後方向に開口するコ字状に形成されたものである。
そして、カバー体２２６には、中間支柱本体２２１、２２１の正面片２２１ｂ・・・の内面に左右方向に対向するように取り付けられた係合ピン２２５、２２５、２２５、２２５に、カバー体２２６に設けられた鉤状係合孔２２６ａ、２２６ａ、２２６ａ、２２６ａを上方から引っ掛けることによって、着脱自在に取り付けられる。
【００２６】
このようにして、中間脚体２は組み立てられ、側面視でＴ字型に形成されることとなる。  尚、本説明の実施例は、前後で対向して使用される両面型デスクであるが、一方側からのみ使用される片面型デスクの場合は、天板中間支持杆２１は前方のみに延伸するものとなり、中間脚体２はＴ字状から上下逆のＬ字状に変更される。
また、配線収容部６の容積は適宜設定され、容積を増やす場合、上部補強部２１１ｂの高さ（深さ）を高く（深く）設定することによって可能となる。
この場合、デスクの下面で支持杆本体２１１が執務者の邪魔にならないように下部の下部補強部２１１ａの左右巾を上部補強部２１１ｂの左右巾より小さく設定するとよく、本件実施例では下側の巾が狭くなる段付き状に形成しているので必要以上のスペースが不要である。
【００２７】
ビーム補強７は、垂直断面視で下向きコ字状断面で、左右方向に長く延伸し、左右端面に板状塞ぎ板７１、７１が固定されている。
板状塞ぎ板７１、７１は中央部に配線などを通すことが可能な挿通孔７１１を有し、四隅近傍に丸穴の連結貫通孔７１２・・・を有している。また、ビーム補強７の上面には、複数個の貫通孔が設けられている。ビーム補強７の内部を利用して配線を左右方向に通すことや、ビーム補強７の中間部で床面に配線を降ろすことが可能となる。
【００２８】
ダクトカバー５は、天板３、３間で設けられる開口の配線ダクト４を閉塞するカバーであって、開口カバー支持体５１とカバー支持体５１に支持されるカバー体５２で構成される。
開口カバー支持体５１は、上下方向に貫通するオプション支持孔５１１ａを有する横長長方形のブロック状の胴体５１１と、胴体５１１の前後面の一面側に左右方向に並んで前後方向に延伸して設けられる回転軸５１２、５１２と、胴体５１１の下部で左右方向それぞれに延伸するベース部５１３、５１３と、それぞれのベース部５１３に設けられる上下方向に貫通し、上面側が皿加工される形状の取り付け孔が一体的に成型されるものである。    
オプション支持孔５１１ａは、仕切りパネルなどのオプション部材を取り付ける際に使用されるもので、通常はキャップにて閉塞されている。
【００２９】
カバー体５２は、前後方向に伸びる略板状を成し、両前後端部に回転軸受け５２１、５２１が設けられ、回転軸受けを、一対に配置された開口カバー支持体５１、５１に設けられた回転軸５１２、５１２に装着させることによって、該回転軸５１２、５１２を回転軸として回動自在に装着されるものである。
【００３０】
次にデスク１００の組み立て方を説明する。
まず、脚体１０と中間脚体２をビーム補強７で連結するが、ビーム補強７の左右端面の連結貫通孔７１２の位置を中間脚体２の連結用ナット２１４、２２２ｄに合わせ、ビーム補強７の下面の開口部よりボルトを連結貫通孔７１２に挿入し、連結用ナット２１４、２２２ｄに螺合させ、ボルトにてビーム補強７と中間脚体２を締結する。
そして、ビーム補強７の他方側も同様に、脚体１０の主天板支持杆１０１と補助天板支持杆１０３に設けられた取り付け用のナットにボルトを螺合させ、ボルトにてビーム補強７と脚体１０を締結する。
中間脚体２０の他方端側にも同様の手法にて、ビーム補強７、脚体１０を連結する。この状態で、脚体１０、１０、中間脚体２、ビーム補強７、７は一体的に連結され自立が可能な脚体ユニット１となる。
【００３１】
自立している脚体ユニット１の上面に天板３、３を載置する。そして、脚体１０の天板受け片１０１ａ、中間脚体２の天板受け片に設けられている貫通孔、ビーム補強７の上面に設けられている貫通孔と、天板３の下面に設置されている螺孔を一致させ、脚体ユニット１と天板３、３をネジにて螺合する。
この状態で、左右の天板３、３の間には中間脚体２の天板中間支持杆２１の上部補強部２１１ｂの開口部が露呈する程度の開口が発生する。
【００３２】
この開口が配線ダクト４であって、該配線ダクト４をダクトカバー５で閉塞する。
まず、４体の開口カバー支持体５１をそれぞれ、回転軸５１２、５１２が対向するように前後一対で、中間脚体２の天板中間支持杆２１の前後端部付近と前後中間部に設けられている部材取り付け座２１３・・・に載せる。
そして、部材取り付け座２１３の固定ナット２１３ａ、２１３ａと、開口カバー支持体５１の取り付け孔の位置を合わせ、上部から皿ねじにて固定する。
【００３３】
次に、前後一対となっている開口カバー支持体５１、５１の対向する回転軸５１２、５１２に、カバー体５２の回転軸受け５２１、５２１をはめ込み、カバー体５２が回動自在に軸支される。左右方向に並んで設けられている他方側の回転軸受け５２１、５２１にも同様にカバー体５２を軸支することによってデスク１００は組み立てられる。
尚、開口カバー支持体５１のベース部５１３の上方は配線の挿通部として使用されることがあるので、着脱式のキャップが装着され、挿通部として使用する場合は一旦キャップを外すことで可能となる。
【００３４】
このように組み立てられたデスク１００は、デスクの長辺を側の前端部と後端部をそれぞれ使用端として、執務者が短辺方向に向かい合って使用することができる。
また、配線ダクト４を挟んで左右方向でも左右に並んで使用することができるばかりか、左右の執務者の自身の範囲がわかりやすい。
さらに、配線ダクト４の前後端部は、それぞれの使用端まで延伸しているので、執務者は横に移動し軽く覗き込むような体勢を取るだけで配線ダクトを使用することができるので、配線ダクトを使用するために大きく身を乗り出す必要がないので小柄な執務者であっても使い勝手がよい。
【００３５】
他方、配線ダクト部でデスクの長辺方向で天板が分割され、前後方向で天板３は一体的に形成されているので、前後方向で天板上に繋ぎ目が出来ないため広く天板を使用することができ、特に天板３の奥行き方向を広く使用することができる。例えば、大きな図面など大きな資料を広げる場合には作業がやりやすい。
また、図１３に示すようにパネル状の机上置き式の仕切りを設置する場合、執務者から見た奥行き方向に配線ダクトがないため、自由な位置に仕切りを置くことができる。そのため天板の奥行き方向で自由に執務スペースの設定が可能である。
左右の天板は、片側を一体型として他方側は、前後で分割し、分割部で従来のように配線ダクトを設けることも可能であり、少なくとも一体の天板を前後方向で分割することなく一体的に形成すると前後両側で使用されるデスクであっても天板を奥ゆき（前後）方向で広く使用することが可能となる。
【００３６】
配線ダクト４は、電源コードや通信ケーブルなどの引き込みや引き出しを行うものである。
例えば、電源用のＯＡタップを天板中間支持杆２１の配線収容部６の下面（補強杆２１２の上面）に置く。そして、ＯＡタップの電源コードを天板中間支持杆２１の開口孔２１１ｅから挿入する。開口孔２１１ｅに挿入された電源コードは、中間支柱体２２１の内部空間に落ちる。
次に、中間脚体２のカバー体２２６を取り外し、本体上部連結材２２２の配線孔２２２ｃから前記電源コードを取り出す。そして、電源コードを本体下部連結材２２３の配線孔２２３ｃに挿入し、中間脚体２の下面より電源コードを出し、床面の電気コンセントなどと連結しＯＡタップに通電させることができる。通信ケーブルも同様に中間脚体２の内部を通し、配線ダクト４から取り出す。執務者は、カバー体５２に開放し、配線収容部６に設置されたＯＡタップなどを使用する。
本件実施例の場合は、ダクトカバー５がデスクの使用端側まで延伸しているので、開口カバー支持体５１のベース部５１３の上方より、デスクの使用端側に配線を取り出すことや配線を取り入れることが可能である。
【００３７】
このように中間脚体２の天板中間支持杆２１に配線ダクト４と連通する配線収容部６を設け、天板の左右連結部を利用して配線ダクトを設置すると、左右の天板間の隙間や段差が目立たないようにできるので、天板間の細かな調整が必要なくデスクの組み立てがし易くなる。
また、本件実施例では、配線収容部を支持杆の一部として、配線収容部形成する部材を支持杆の強度を向上させる補強部材としているが、配線収容部は、天板を支持する支持杆とは別体にして、支持杆のみにて強度を確保する方法でもよい。しかしながら、実施例のように配線収容部を支持杆の一部として、支持杆の強度を向上させる補強と兼務させたほうが配線収容部を別途用意する必要がなく効率がよい。
【００３８】
配線収容部は、中間脚体だけではなく、脚体の天板支持杆に設けてもよい。この場合、デスクの左右端部付近に配線ダクトが設置される。
図９に示すのは、デスクの左右の脚体１０Ａの主天板支持杆１０１Ａに配線収容部６Ａを設けたもので、図１２に示すように該配線収容部６Ａの上方を配線ダクト４とし、配線ダクト４にダクトカバー５を設置する。
また、本発明品を応用させると、中間脚体が設置されない執務者一人で使用されるデスクでも配線ダクトを使用端側に寄せて配置することが容易である。
【００３９】
本件実施例では、別体の天板間を利用して配線ダクト４を設置しているが、図１０、１１に示す天板の一部に開口部を設けて、該開口部を配線ダクト４としてもよい。
この場合であっても、天板の使用端側に近い位置に配線ダクト４の前端部が配置されるように設定すると、配線ダクトを使用するために大きく身を乗り出す必要がないので使い勝手がよい。
【００４０】
本願発明の、配線ダクトの前記使用端側の端部が、デスク天板部の該使用端側から該使用端側に対向する他方端との間に形成される第１中心線と、該第１中心線と該使用端側との間に形成される第２中心線上に配置され、あるいは、第２中心線よりもデスク天板の該使用端側に配置される構成は、より具体的には、図２、１０、１１、１２に示されるように、天板の長辺側に設定されている使用端部と、該使用端部と対向する側の端部までの前後寸法を１として、第１中心線が２分の１の前後寸法の位置となり、第２中心線が４分の１の前後寸法の位置となり、配線ダクトの使用端側が、天板の使用端から他方端までの前後寸法の４分の１以下の前後寸法となることである。
また、一使用端側に対向する他方端とは、天板を挟み対向して使用される両面型デスクの場合は、一使用端側に対向する使用端のことであり、天板の片面のみから使用される片面型デスクの場合は、一使用端側に対向するデスク後ろ端部のことである。
【００４１】
配線ダクトの前端部を、該前後寸法の４分の１以上に設定すると、配線ダクトは、使用端側から離れ、配線ダクトの大部分が一人当たりの執務スペースすなわち単位執務スペースの前後端からの中心より後方に配置されることになるので、必然的に配線ダクトを使用するために大きく身を乗り出すことが多くなる。
配線ダクトの後端側を前方に出して、配線ダクトを使用端側に近づける方法もあるが、この場合、配線ダクトの前端部を、該前後寸法の４分の１以上に設定すると、配線ダクトの前後長が不足して、配線ダクト自体が小さくなることがあり、配線ダクトが小さくなると狭いスペースでの作業、取り回しが必要となり使い勝手が悪くなる。
【００４２】
尚、通常デスクの使用端から対向する他方端までの寸法（奥ゆき）は、前記両面型デスクの場合は１８００ミリメートル以下、前記片面型デスクの場合は９００ミリメートル以下に設定される。そのため、本件発明品も前記両面型デスクの場合は１８００ミリメートル以下、前記片面型デスクの場合は９００ミリメートル以下に設定されたデスクに採用する場合が最も適しており、より効果を高く発揮できる。
【産業上の利用可能性】
【００４３】
以上のように、本発明は、執務者に近い位置に配線ダクトを設けているから配線ダクトの使い勝手に優れるから、あるいは、デスクの配線ダクトを単位執務スペースの後端に設けないので、執務スペースの前後方向が広く使えるから、執務用のデスクに限らず、実験台や作業台など、天板を備える什器に幅広く利用することが可能である。
【符号の説明】
【００４４】
１００    デスク
１０      脚体
２        中間脚体
２１      天板中間支持杆
２１１    支持杆本体
２１１ａ  下部補強部
２１１ｂ  上部補強部
２１１ｃ  天板受け片
２１１ｅ  開口孔
２１２    補強杆
２２      中間支柱体
２２１    中間支柱本体
２２２    本体上部連結材
３        天板
４        配線ダクト
５        ダクトカバー
６        配線収容部
７        ビーム補強        
【図１】
2020116144.tif 000003
【図２】
2020116144.tif 000004
【図３】
2020116144.tif 000005
【図４】
2020116144.tif 000006
【図５】
2020116144.tif 000007
【図６】
2020116144.tif 000008
【図７】
2020116144.tif 000009
【図８】
2020116144.tif 000010
【図９】
2020116144.tif 000011
【図１０】
2020116144.tif 000012
【図１１】
2020116144.tif 000013
【図１２】
2020116144.tif 000014
【図１３】
2020116144.tif 000015
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
デスク天板部が全体として短辺と長辺を有する形態を成すデスクにおいて、該デスクは、単位執務スペースを複数備え、複数人で同時に使用できるものであって、執務スペースの執務者側の天板の端部が使用端として設定され、さらに、デスク天板部に配線ダクトが配置され、少なくとも一つの配線ダクトの前記使用端側の端部が、デスク天板部の該使用端側から該使用端側に対向する他方端との間に形成される第１中心線と該使用端側との間に形成される第２中心線上に配置され、あるいは、第２中心線よりもデスク天板の該使用端側に配置されることを特徴とする配線ダクトを備えるデスク。
【請求項２】
配線ダクトは、単位執務スペースの左右方向の端側に配置されていることを特徴とする請求項１に記載の配線ダクトを備えるデスク。
【請求項３】
デスクの長辺方向の間の位置に配線ダクトが配置され、デスクの長辺方向で配線ダクトを挟んでそれぞれに執務スペースを形成することを特徴とする請求項１あるいは請求項２に記載の配線ダクトを備えるデスク。
【請求項４】
配線ダクト下方部にデスク脚体が配置され、デスク脚体は、天板を天板の短辺方向で支持する天板支持部を有し、天板支持部に配線ダクトと連通する配線収容部を装備したことを特徴とする請求項１あるいは請求項２あるいは請求項３に記載の配線ダクトを備えるデスク。
【手続補正２】
【補正対象書類名】明細書
【補正対象項目名】０００５
【補正方法】変更
【補正の内容】
【０００５】
上記課題を解決する為、本発明が第１の手段として構成したところは、デスク天板部が全体として短辺と長辺を有する形態を成すデスクにおいて、該デスクは、単位執務スペースを複数備え、複数人で同時に使用できるものであって、執務スペースの執務者側の天板の端部が使用端として設定され、さらに、デスク天板部に配線ダクトが配置され、少なくとも一つの配線ダクトの前記使用端側の端部が、デスク天板部の該使用端側から該使用端側に対向する他方端との間に形成される第１中心線と該使用端側との間に形成される第２中心線上に配置され、あるいは、第２中心線よりもデスク天板の該使用端側に配置されるものである。